(57)【要約】【課題】  甲被体をぐらつきにくくし、履きやすさの向上を図る。【解決手段】  足が載置される基板１と、基板１の長手方向５中間であって基板１の両側部６に架け渡され使用時に足の甲を被う甲被体１０とを備え、甲被体１０を基板１の長手方向５に直交する巾方向７を軸線として傾動可能になるようにその両端部１１を基板１に対して取り付けるとともに、甲被体１０の傾動時に甲被体１０をガイドするガイド手段２０を設け、ガイド手段２０を、甲被体１０に設けられ甲被体１０と同動する被ガイド部２１と、被ガイド部２１を移動可能にガイドするガイド部２２とを備えて構成した。【選択図】図１
2010142361.tif 000002
【特許請求の範囲】
【請求項１】
足が載置される基板と、該基板の長手方向中間であって該基板の両側部に架け渡され使用時に足の甲を被う甲被体とを備え、該甲被体を上記基板の長手方向に直交する巾方向を軸線として傾動可能になるようにその両端部を上記基板に対して取り付けた双方向履物において、
上記甲被体の傾動時に該甲被体をガイドするガイド手段を設けたことを特徴とする双方向履物。
【請求項２】
上記ガイド手段を、上記甲被体に設けられ該甲被体と同動する被ガイド部と、該被ガイド部を移動可能にガイドするガイド部とを備えて構成したことを特徴とする請求項１記載の双方向履物。
【請求項３】
上記ガイド手段を、上記基板の両側部に夫々設けたことを特徴とする請求項１または２記載の双方向履物。
【請求項４】
上記被ガイド部を、上記甲被体の端部側に設けられたピンで構成し、上記ガイド部を、下端が上記基板の側部に固着されるとともに上記甲被体の軸心を中心とする円弧状に形成され上記ピンが挿通される開口を有したシート状部材で構成したことを特徴とする請求項２または３記載の双方向履物。
【請求項５】
上記被ガイド部を索体で構成し、該索体の一端部を上記甲被体の上記長手方向一方端に固着し、他端部を上記甲被体の上記長手方向他方端に固着するとともに、中間部を上記基板の側部に沿わせて配設し、上記ガイド部を、上記基板の側部に設けられ上記索体が挿通される挿通孔を備えて構成したことを特徴とする請求項２または３記載の双方向履物。
【請求項６】
上記ガイド部を、上記甲被体の端部を挟んで設けられた一対のリング状部材の組で構成したことを特徴とする請求項５記載の双方向履物。
【請求項７】
上記被ガイド部を、上記甲被体の端部側に設けられ円弧状に形成された筒状部材で構成し、上記ガイド部を上記筒状部材に移動可能に挿通される索体で構成し、該索体の一端部及び他端部を上記甲被体の端部を挟んで上記基板に夫々固着したことを特徴とする請求項２または３記載の双方向履物。
【請求項８】
上記甲被体の端部から立ち上がる立ち上がり縁部を、傾動端で上記基板に当接する傾斜面に形成したことを特徴とする請求項１乃至７何れかに記載の双方向履物。
【請求項９】
上記甲被体を中立位置に付勢する付勢手段を設けたことを特徴とする請求項１乃至８何れかに記載の双方向履物。
【請求項１０】
上記甲被体を、弾性変形可能な部材で形成し、非使用時に中立位置に位置できるように、その端部を上記基板に取り付けたことを特徴とする請求項９記載の双方向履物。
【請求項１１】
上記甲被体を、その端部を上記巾方向に沿う軸線を有した回動軸を介して上記基板の側部に回動可能に取り付けたことを特徴とする請求項１乃至９何れかに記載の双方向履物。
【発明の詳細な説明】
【技術分野】
【０００１】
本発明は、スリッパやサンダル等の履物において、足が載置される基板の長手方向の一方側及び他方側の双方向どちら側からでも履くことのできる双方向履物に関する。
【背景技術】
【０００２】
従来、この種の双方向履物としては、例えば、特許文献１（実開平７−５４０２号公報）に掲載されたものが知られている。図１７に示すように、この双方向履物Ｓａは、足が載置される基板１００と、基板１００の長手方向中間であって基板１００の両側部１０１に架け渡され使用時に足の甲を被う甲被体１０２とを備えて構成されている。この甲被体１０２は、基板１００の長手方向に直交する巾方向を軸線として傾動可能になるように、その両端部１０３が巾方向に沿う軸線を有した金属製のピン１０４を介して基板１００の側部１０１に取り付けられている。
【０００３】
この双方向履物Ｓａを使用するときは、基板１００の長手方向の一方側または他方側から、足を基板１００と甲被体１０２との間に形成される空間に挿通して、足を基板１００に載置させる。足を載置させると、甲被体１０２は、挿通された足の甲によって押され、足が挿通された側とは反対側にピン１０４を傾動軸として傾動する。そのため、この双方向履物Ｓａは、基板１００の長手方向の一方側及び他方側のどちら側から履いても甲被体１０２が上記のように傾動するので、例えば、病院やホテル等、大勢の人が出入りする場所において、履物Ｓａを脱いだ時に、次に使用する人が履き易いように履物Ｓａの向きを変える必要がなく、大変便利になっている。
【０００４】
【特許文献１】実開平７−５４０２号公報
【発明の開示】
【発明が解決しようとする課題】
【０００５】
しかしながら、この従来の双方向履物Ｓａにおいては、足を基板１００と甲被体１０２との間に形成される空間に挿通して甲被体１０２を傾動させる際、甲被体１０２が左右に振れる等してぐらつきやすく、履きにくいことがあるという問題があった。
【０００６】
本発明は、このような問題点に鑑みてなされたもので、甲被体をぐらつきにくくし、履きやすさの向上を図った双方向履物を提供することを目的とする。
【課題を解決するための手段】
【０００７】
このような目的を達成するため、本発明の双方向履物は、足が載置される基板と、該基板の長手方向中間であって該基板の両側部に架け渡され使用時に足の甲を被う甲被体とを備え、該甲被体を上記基板の長手方向に直交する巾方向を軸線として傾動可能になるようにその両端部を上記基板に対して取り付けた双方向履物において、上記甲被体の傾動時に該甲被体をガイドするガイド手段を設けた構成としている。
【０００８】
これにより、この双方向履物を履くときは、基板の長手方向の一方側または他方側から、足を基板と甲被体との間に形成される空間に挿通して、足を基板に載置させる。足を基板に載置させると、甲被体は、挿通された足の甲によって押され、足が挿通された側とは反対側に巾方向を軸線として傾動する。このとき、甲被体は、ガイド手段によってガイドされながら傾動するので、左右に振れる等してぐらつく事態が抑制され、円滑に傾動させられる。即ち、基板の長手方向の一方側及び他方側のどちら側から履いても、ガイド手段によって、甲被体はガイドされるので、履きやすさが向上させられる。
【０００９】
そして、必要に応じ、上記ガイド手段を、上記甲被体に設けられ該甲被体と同動する被ガイド部と、該被ガイド部を移動可能にガイドするガイド部とを備えて構成している。これにより、被ガイド部はガイド部にガイドされ、この被ガイド部が甲被体と同動するので、甲被体がガイド部にガイドされるようになり、そのため、甲被体が傾動する際の移動軌道を略一定にすることができる。
【００１０】
また、必要に応じ、上記ガイド手段を、上記基板の両側部に夫々設けた構成としている。これにより、ガイド手段を基板の両側部に設けたので、より一層甲被体が傾動する際の移動軌道を略一定にすることができ、そのため、甲被体のぐらつきが確実に抑制される。
【００１１】
更に、必要に応じ、上記被ガイド部を、上記甲被体の端部側に設けられたピンで構成し、上記ガイド部を、下端が上記基板の側部に固着されるとともに上記甲被体の軸心を中心とする円弧状に形成され上記ピンが挿通される開口を有したシート状部材で構成している。これにより、甲被体が傾動する際、ピンがガイド部としてのシート状部材に形成された開口に沿って甲被体の軸心を中心とする円弧状に移動するようになるので、甲被体はその軸心を中心として傾動するようになる。このとき、ガイド部としてのシート状部材は、基板に固着されているので、甲被体が確実に基板に対してその軸心を中心として基板の長手方向に沿って傾動するようになり、そのため、甲被体が傾動する際の移動軌道を略一定にすることができ、甲被体のぐらつきが抑制される。また、甲被体が左右に振れようとしても、甲被体がシート状部材に抑えられるようになるので、これによっても甲被体がぐらつく事態が抑制され、円滑に傾動させられる。
【００１２】
更にまた、必要に応じ、上記被ガイド部を索体で構成し、該索体の一端部を上記甲被体の上記長手方向一方端に固着し、他端部を上記甲被体の上記長手方向他方端に固着するとともに、中間部を上記基板の側部に沿わせて配設し、上記ガイド部を、上記基板の側部に設けられ上記索体が挿通される挿通孔を備えて構成している。これにより、甲被体が傾動する際、甲被体は、甲被体の長手方向一方端または長手方向他方端のいずれか一方が基板側に向かって下方に移動し、いずれか他方が上方に移動するとともに、索体も甲被体の傾動に追従して移動する。このとき、索体は、ガイド部の挿通孔に沿って移動するので、甲被体が確実に基板に対してその軸心を中心として基板の長手方向に沿って傾動するようになり、そのため、甲被体が傾動する際の移動軌道を略一定にすることができ、甲被体のぐらつきが抑制される。また、甲被体が左右に振れようとしても、索体によって引っ張られることになるので、甲被体がぐらつく事態が確実に抑制され、円滑に傾動させられる。
【００１３】
そして、また、必要に応じ、上記ガイド部を、上記甲被体の端部を挟んで設けられた一対のリング状部材の組で構成している。これにより、ガイド部を、挿通孔を形成するための必要最小限の部材で構成することができるので、ガイド部を筒状の管部材で構成した場合と比較して、基板に設けられる部材を極力少なくすることができ、そのため、履き心地が向上される。
【００１４】
また、必要に応じ、上記被ガイド部を、上記甲被体の端部側に設けられ円弧状に形成された筒状部材で構成し、上記ガイド部を上記筒状部材に移動可能に挿通される索体で構成し、該索体の一端部及び他端部を上記甲被体の端部を挟んで上記基板に夫々固着した構成としている。これにより、ガイド部としての索体は、被ガイド部としての筒状部材の内部に挿通されて円弧状に形成されており、甲被体が傾動する際、筒状部材が索体に沿って甲被体の軸心を中心とする円弧状に移動するようになるので、甲被体はその軸心を中心として傾動するようになる。そのため、甲被体が確実に基板に対してその軸心を中心として基板の長手方向に沿って傾動するようになるので、甲被体が傾動する際の移動軌道を略一定にすることができ、甲被体のぐらつきが抑制される。また、甲被体が左右に振れようとしても、索体によって引っ張られることになるので、甲被体がぐらつく事態が確実に抑制され、円滑に傾動させられる。
【００１５】
更に、必要に応じ、上記甲被体の端部から立ち上がる立ち上がり縁部を、傾動端で上記基板に当接する傾斜面に形成した構成としている。これにより、甲被体が傾動した際、立ち上がり縁部が基板に当接するので、基板に対する支持が安定し、使用時に歩きやすくなる。また、甲被体が傾動したときの外観が、一般的なスリッパやサンダル等の履物と略同じに見えるようになる。
【００１６】
更にまた、必要に応じ、上記甲被体を中立位置に付勢する付勢手段を設けた構成としている。これにより、本双方向履物を脱いだとき、付勢手段によって甲被体が中立位置に戻るので、非使用時には常に甲被体が中立位置に位置するようになり、そのため、基板と甲被体との間に形成される空間を大きくすることができるので、使用する際に足をこの空間に挿通させやすくなり、履きやすさを向上させることができる。
【００１７】
更にまた、必要に応じ、上記甲被体を、弾性変形可能な部材で形成し、非使用時に中立位置に位置できるように、その端部を上記基板に取り付けた構成としている。これにより、足を基板と甲被体との間に形成される空間に挿通させると、甲被体が足の甲によって押されて端部が撓み、この端部の撓みにより甲被体が傾動する。また、足を基板と甲被体との間に形成される空間から抜くと、足の甲による押圧がなくなって端部が撓み、この端部の撓みによって甲被体は足が挿通されていた側に傾動し、中立位置に戻る。そのため、使用時に甲被体の端部の撓みによって甲被体を傾動させ、非使用時にその弾性力により中立位置に戻るので、基板と甲被体との間に形成される空間を大きくすることができ、使用する際に足をこの空間に挿通させやすくなり、より一層履きやすさを向上させることができる。
【００１８】
また、必要に応じ、上記甲被体を、その端部を上記巾方向に沿う軸線を有した回動軸を介して上記基板の側部に回動可能に取り付けた構成としている。これにより、甲被体は回動軸を中心に回動して傾動するようになるので、より一層傾動を円滑に行なわせることができるようになる。
【発明の効果】
【００１９】
本発明の双方向履物によれば、基板の長手方向の一方側または他方側から、足を基板と甲被体との間に形成される空間に挿通して、足を基板に載置させると、甲被体は、挿通された足の甲によって押され、足が挿通された側とは反対側に巾方向を軸線として傾動する。このとき、甲被体は、ガイド手段によってガイドされながら傾動するので、左右に振れる等してぐらつく事態が抑制され、円滑に傾動させられる。即ち、基板の長手方向の一方側及び他方側のどちら側から履いても、ガイド手段によって、甲被体はガイドされるので、履きやすさが向上させられる。
【００２０】
また、甲被体を中立位置に付勢する付勢手段を設けた場合には、本双方向履物を脱いだとき、付勢手段によって甲被体が中立位置に戻るので、非使用時には常に甲被体が中立位置に位置するようになり、そのため、基板と甲被体との間に形成される空間を大きくすることができるので、使用する際に足をこの空間に挿通させやすくなり、より一層履きやすさを向上させることができる。
【発明を実施するための最良の形態】
【００２１】
以下、添付図面に基づいて本発明の実施の形態に係る双方向履物を説明する。
図１乃至図８には、本発明の第一の実施の形態に係る双方向履物Ｓを示している。本双方向履物Ｓの基本的構成は、基板１と、甲被体１０と、ガイド手段２０とを備えてなる。
【００２２】
基板１は、上面２に足が載置される板状の載置部材３と、載置部材３の下面に貼設され床面に接する接地部材４とを備えて構成されている。この接地部材４は、載置部材３と平面視及び底面視が同形に形成されている。
【００２３】
甲被体１０は、基板１の長手方向５中間であって基板１の両側部６に架け渡され使用時に足の甲を被うものであり、基板１の長手方向５に直交する巾方向７を軸線として傾動可能になるように、その両端部１１が基板１に対して取り付けられている。第一の実施の形態では、この甲被体１０は、その両端部１１が基板１の両側部６に巾方向７に沿う軸線を有した回動軸１２を介して取り付けられ、この回動軸１２を中心に回動可能に取り付けられている。この回動軸１２は、甲被体１０を中立位置Ｎに付勢する付勢手段を構成するもので、弾性のゴムで構成され、一端部１２ａが基板１に埋設されて固着され、他端部１２ｂが甲被体１０の端部１１に固着されている。また、この甲被体１０は、端部１１から立ち上がる立ち上がり縁部１３が、傾動端１４で基板１に当接する傾斜面に形成されている。
【００２４】
ガイド手段２０は、甲被体１０の傾動時に甲被体１０をガイドするもので、甲被体１０に設けられ甲被体１０と同動する被ガイド部２１と、被ガイド部２１を移動可能にガイドするガイド部２２とを備えて構成されている。このガイド手段２０は、基板１の両側部６に夫々設けられている。
【００２５】
被ガイド部２１は、第一の実施の形態では、甲被体１０の端部１１側に設けられたピン３０で構成され、甲被体１０の長手方向一方端１５及び長手方向他方端１６に一対設けられている。このピン３０は、頭部３３ａを有したピン本体３３と、頭部３３ａと同形に形成され、ピン本体３３が挿通される孔３４ａが形成された止め具３４とを備えて構成されている。甲被体１０が傾動端１４で基板１に当接したとき、その一部が基板１の載置部材３の上面２に当接するように設けられている。
【００２６】
ガイド部２２は、第一の実施の形態では、下端２３が基板１の側部６に固着されるとともに甲被体１０の軸心を中心とする円弧状に形成されピン３０が挿通される開口２４を有したシート状部材２５で構成されている。このシート状部材２５は、半円状に形成され、直線側が下端２３として基板１の側部６に固着されている。また、このシート状部材２５は、甲被体１０と基板１の側部６との間に設けられ、回動軸１２によって甲被体１０とともに基板１の側部６に取り付けられている。更に、このシート状部材２５に形成された開口２４は、甲被体１０が傾動して、一対のピン３０のうち一方のピン３０ａの一部が基板１の載置部材３の上面２に当接したとき、他方のピン３０ｂが係止されるように、円弧の途中が切断された形状に形成されている。
また、ピン本体３３は甲被体１０側から開口２４に挿通され、頭部３３ａの反対側から止め具３４の孔３４ａがピン本体３３に挿通されて、ピン本体３３が甲被体１０に設けられている。
【００２７】
従って、この第一の実施の形態に係る双方向履物Ｓを使用すると、以下のように作用する。この双方向履物Ｓは、常時は、甲被体１０が中立位置Ｎに位置している。
【００２８】
甲被体１０が中立位置Ｎに位置している状態で、基板１の長手方向５の一方側または他方側から、足を基板１と甲被体１０との間に形成される空間に挿通して、足を基板１に載置させると、図８に示すように、甲被体１０は、挿通された足の甲によって押され（足は図示せず）、足が挿通された側とは反対側に回動軸１２を中心として回動して傾動する。このとき、回動軸１２は弾性のゴムで形成されているので、このゴムが捻られるようになる。また、甲被体１０は、ガイド手段２０によってガイドされながら傾動する。詳しくは、甲被体１０が足の甲によって押されると、甲被体１０に設けられたピン３０がシート状部材２５に形成された開口２４に沿って甲被体１０の軸心を中心とする円弧状に移動し、甲被体１０がその軸心を中心として傾動する。ガイド部２２としてのシート状部材２５は、基板１に固着されているので、甲被体１０が確実に基板１に対してその軸心を中心として基板１の長手方向５に沿って傾動するようになり、そのため、甲被体１０が傾動する際の移動軌道を略一定にすることができ、甲被体１０が左右に振れる等してぐらつく事態が抑制され、円滑に傾動させられる。即ち、甲被体１０がガイド部２２にガイドされるようになるので、甲被体１０が中立位置Ｎから傾動する際の往路軌道を略一定にすることができ、履きやすさを向上させることができる。また、甲被体１０が左右に振れようとしても、甲被体１０がシート状部材２５に抑えられるようになるので、これによっても甲被体１０がぐらつく事態が抑制され、円滑に傾動させられる。
【００２９】
また、この双方向履物Ｓを履いて歩行すると、甲被体１０は、足の甲の動きに合わせて、基板１の一方側及び他方側に軸心を中心として傾動するが、甲被体１０は立ち上がり縁部１３が傾動端１４で基板１に当接する傾斜面に形成されているので、甲被体１０が傾動した際、立ち上がり縁部１３が基板１に当接するようになり、そのため、基板１に対する支持が安定し、使用時に歩きやすくなる。更に、傾動端１４が基板１の載置部材３に当接すると、ピン３０も基板１の載置部材３に当接するので、この点でも、基板１に対する支持が安定し、使用時に歩きやすくなる。更にまた、この双方向履物Ｓの使用時の外観は、一般的なスリッパやサンダル等の履物と略同じに見えるようになる。
【００３０】
そして、この双方向履物Ｓを脱ごうとして、足を基板１と甲被体１０との間に形成される空間から抜くと、足の甲による甲被体１０への押圧力がなくなるので、捻られていた回動軸１２が元に戻ろうとする。この回動軸１２の付勢力によって、甲被体１０が、足が挿通されていた側に向かって回動軸１２を中心として回動して傾動し、中立位置Ｎに戻る。このときも、甲被体１０は、ガイド手段２０によってガイドされながら傾動するので、甲被体１０が確実に基板１に対してその軸心を中心として基板１の長手方向５に沿って傾動するようになり、そのため、甲被体１０が傾動した位置から中立位置Ｎに戻る際の復路軌道を略一定にすることができるので、確実に甲被体１０が中立位置Ｎに戻るようになるとともに、甲被体１０が左右に振れる等してぐらつく事態が抑制されるので円滑に傾動させることができる。また、甲被体１０が左右に振れようとしても、甲被体１０がシート状部材２５に抑えられるようになるので、これによっても甲被体１０がぐらつく事態が抑制され、円滑に傾動させることができる。この場合、本双方向履物Ｓを脱ぐと、付勢手段によって甲被体１０が中立位置Ｎに戻るので、非使用時には常に甲被体１０が中立位置Ｎに位置するようになり、そのため、基板１と甲被体１０との間に形成される空間を大きくすることができるので、使用する際に足をこの空間に挿通させやすくなり、履きやすさを向上させることができる。
【００３１】
即ち、ガイド手段２０によって、甲被体１０は、往路経路と復路軌道とが常に基板１の長手方向５に沿って一定の軌道になるようにガイドされるので、本双方向履物Ｓを履くときに履きやすく、脱いだときに確実に甲被体１０が中立位置Ｎに戻って、次に履くときに基板１の長手方向５の一方側及び他方側のどちら側から履いても履きやすくなる。
【００３２】
図９乃至図１２には、本発明の第二の実施の形態に係る双方向履物Ｓを示している。本双方向履物Ｓの基本的構成は、基板１と、甲被体１０と、ガイド手段２０とを備えてなる。
【００３３】
基板１は、本発明の第一の実施の形態に係る双方向履物Ｓと同様に構成された載置部材３と接地部材４とを備えて構成され、載置部材３の上面２に、長手方向５の側部６に沿って所定長さの切り込み部８が形成されている。
【００３４】
甲被体１０は、第二の実施の形態では、弾性変形可能な部材で形成され、非使用時に中立位置Ｎに位置できるように、その端部１１が基板１に取り付けられている。詳しくは、甲被体１０の両端部１１は、基板１の切り込み部８から載置部材３内に埋設され、この載置部材３内で、例えば、接着剤等で基板１に取り付けられている。その他の構成は、第一の実施の形態と同様である。
【００３５】
ガイド手段２０は、本発明の第一の実施の形態と同様に、被ガイド部２１とガイド部２２とを備えて構成され、基板１の両側部６に夫々設けられている。
【００３６】
被ガイド部２１は、第二の実施の形態では、索体３１で構成されている。この索体３１は、一端部３１ａが甲被体１０の長手方向一方端１５に固着され、他端部３１ｂが甲被体１０の長手方向他方端１６に固着されるとともに、中間部３１ｃが基板１の載置部材３の上面２にその側部６に沿って配設されている。
【００３７】
ガイド部２２は、第二の実施の形態では、基板１の側部６に設けられ索体３１が挿通される挿通孔２６を備えた一対のリング状部材２７の組で構成されている。この一対のリング状部材２７は、甲被体１０の端部１１を挟んで、基板１の載置部材３の上面２に固着されている。
【００３８】
従って、この第二の実施の形態に係る双方向履物Ｓを使用すると、以下のように作用する。この双方向履物Ｓは、常時は、中立位置Ｎに位置している。
【００３９】
甲被体１０が中立位置Ｎに位置している状態で、基板１の長手方向５の一方側または他方側から、足を基板１と甲被体１０との間に形成される空間に挿通して、足を基板１に載置させると、甲被体１０は、挿通された足の甲によって押されて端部１１が撓み、この端部１１の撓みにより甲被体１０は足が挿通された側とは反対側に巾方向７を軸線として傾動する。このとき、甲被体１０は、ガイド手段２０によってガイドされながら傾動する。
【００４０】
詳しくは、甲被体１０が足の甲によって押されると、甲被体１０の端部１１が撓み、甲被体１０の長手方向一方端１５または長手方向他方端１６のいずれか一方（足が挿通された側とは反対側）が基板１側に向かって下方に移動し、いずれか他方（足が挿通された側）が上方に移動するとともに、索体３１も甲被体１０の傾動に追従して移動する。このとき、索体３１はリング状部材２７の挿通孔２６に沿って移動するので、甲被体１０が確実に基板１に対してその軸心を中心として基板１の長手方向５に沿って傾動するようになり、そのため、甲被体１０が傾動する際の移動軌道を略一定にすることができ、甲被体１０が左右に振れる等してぐらつく事態が抑制され、円滑に傾動させられる。即ち、甲被体１０がガイド部２２にガイドされるようになるので、甲被体１０が中立位置Ｎから傾動する際の往路軌道を略一定にすることができ、履きやすさを向上させることができる。また、甲被体１０が左右に振れようとしても、索体３１によって引っ張られることになるので、甲被体１０がぐらつく事態が確実に抑制され、円滑に傾動させられる。
【００４１】
そして、この双方向履物Ｓを脱ごうとして、足を基板１と甲被体１０との間に形成される空間から抜くと、足の甲による押圧がなくなって甲被体１０の端部１１が撓み、この端部１１の撓みによって甲被体１０は足が挿通されていた側に向かって巾方向７を軸線として傾動し、中立位置Ｎに戻る。このときも、甲被体１０は、ガイド手段２０によってガイドされながら傾動するので、甲被体１０が確実に基板１に対してその軸心を中心として基板１の長手方向５に沿って傾動するようになり、そのため、甲被体１０が傾動した位置から中立位置Ｎに戻る際の復路軌道を略一定にすることができるので、確実に甲被体１０が中立位置Ｎに戻るようになる。そのため、使用時に甲被体１０の端部１１の撓みによって甲被体１０を傾動させ、非使用時にその弾性力により中立位置Ｎに戻るので、基板１と甲被体１０との間に形成される空間を大きくすることができ、使用する際に足をこの空間に挿通させやすくなり、より一層履きやすさを向上させることができる。
【００４２】
また、この第二の実施の形態においては、ガイド部２２を一対のリング状部材２７で構成しているので、挿通孔２６を形成するための必要最小限の部材で構成することができ、ガイド部２２を筒状の管部材で構成した場合と比較して、基板１に設けられる部材を極力少なくすることができ、そのため、履き心地を向上させることができる。更に、端部１１を基板１に埋設しているので、足を基板１に載置させた際、足に端部１１が接触せず、この点でも、履き心地を向上させることができる。
その他の作用，効果は、第一の実施の形態と同様である。
【００４３】
図１３乃至図１６には、本発明の第三の実施の形態に係る双方向履物Ｓを示している。本双方向履物Ｓの基本的構成は、基板１と、甲被体１０と、ガイド手段２０とを備えてなる。
基板１及び甲被体１０は、第二の実施の形態と同様に構成されている。
【００４４】
ガイド手段２０は、本発明の第一及び第二の実施の形態と同様に、被ガイド部２１とガイド部２２とを備えて構成され、基板１の両側部６に夫々設けられている。
【００４５】
被ガイド部２１は、第三の実施の形態では、甲被体１０の端部１１側に設けられ円弧状に形成された筒状部材３２で構成されている。
【００４６】
ガイド部２２は、第三の実施の形態では、筒状部材３２に移動可能に挿通される索体２８で構成されている。この索体２８は、その一端部２８ａ及び他端部２８ｂが、甲被体１０の端部１１を挟んで基板１の載置部材３の上面２に夫々固着されている。
【００４７】
従って、この第三の実施の形態に係る双方向履物Ｓを使用すると、以下のように作用する。この双方向履物Ｓは、常時は、中立位置Ｎに位置している。また、ガイド部２２としての索体２８は、被ガイド部２１としての筒状部材３２の内部に挿通されて円弧状に形成されている。
【００４８】
甲被体１０が中立位置Ｎに位置している状態で、基板１の長手方向５の一方側または他方側から、足を基板１と甲被体１０との間に形成される空間に挿通して、足を基板１に載置させると、甲被体１０は、挿通された足の甲によって押されて端部１１が撓み、この端部１１の撓みにより甲被体１０は足が挿通された側とは反対側に巾方向７を軸線として傾動する。このとき、甲被体１０は、ガイド手段２０によってガイドされながら傾動する。
【００４９】
詳しくは、甲被体１０が足の甲によって押されると、甲被体１０の端部１１が撓み、筒状部材３２が索体２８に沿って甲被体１０の軸心を中心とする円弧状に移動して、甲被体１０がその軸心を中心として足が挿通された側とは反対側に傾動するようになる。索体２８は、基板１の載置部材３の上面２に固着されているので、確実に筒状部材３２を円弧状に移動させることができる。そのため、甲被体１０が確実に基板１に対してその軸心を中心として基板１の長手方向５に沿って傾動するようになるので、甲被体１０が傾動する際の移動軌道を略一定にすることができ、甲被体１０が左右に振れる等してぐらつく事態が抑制され、円滑に傾動させられる。即ち、甲被体１０がガイド部２２にガイドされるようになるので、甲被体１０が中立位置Ｎから傾動する際の往路軌道を略一定にすることができ、履きやすさを向上させることができる。また、甲被体１０が左右に振れようとしても、索体２８によって引っ張られることになるので、甲被体１０がぐらつく事態が確実に抑制され、円滑に傾動させられる。
【００５０】
そして、この双方向履物Ｓを脱ごうとして、足を基板１と甲被体１０との間に形成される空間から抜くと、足の甲による押圧がなくなって甲被体１０の端部１１が撓み、この端部１１の撓みによって甲被体１０は足が挿通されていた側に向かって巾方向７を軸線として傾動し、中立位置Ｎに戻る。このときも、甲被体１０は、ガイド手段２０によってガイドされながら傾動するので、甲被体１０が確実に基板１に対してその軸心を中心として基板１の長手方向５に沿って傾動するようになり、そのため、甲被体１０が傾動した位置から中立位置Ｎに戻る際の復路軌道を常に一定にすることができるので、確実に甲被体１０が中立位置Ｎに戻るようになる。
その他の作用，効果は、第二の実施の形態と同様である。
【００５１】
尚、上記第一の実施の形態において、基板１を、載置部材３の下面に接地部材４を貼設して構成したが、必ずしもこれに限定されるものではなく、一つの部材で構成しても良く、適宜変更して差支えない。
また、上記第一の実施の形態において、シート状部材２５の開口２４を円弧の途中が切断された形状に形成したが、必ずしもこれに限定されるものではなく、切断されていなくても良く、適宜変更して差支えない。
更に、上記第一の実施の形態において、甲被体１０の端部１１を回動軸１２を介して基板１に取り付けたが、必ずしもこれに限定されるものではなく、甲被体１０の端部１１を基板１に撓み可能に取り付けても良く、適宜変更して差支えない。
更にまた、上記第一の実施の形態において、回動軸１２を弾性のゴムで構成したが、必ずしもこれに限定されるものではなく、例えば、ビス等で構成しても良く、適宜変更して差支えない。
【００５２】
尚また、上記第二の実施の形態において、甲被体１０を、その両端部１１を基板１の切り込み部８から載置部材３内に埋設させて基板１に取り付けたが、必ずしもこれに限定されるものではなく、甲被体１０を、その両端部１１を載置部材３と接地部材４との間に介装させて基板１に取り付けても良く、適宜変更して差支えない。
また、上記第二の実施の形態において、ガイド部２２を一対のリング状部材２７の組で構成したが、必ずしもこれに限定されるものではなく、適宜変更して差支えない。
更に、上記第二の実施の形態において、一対のリング状部材２７を基板１の載置部材３の上面２に固着したが、必ずしもこれに限定されるものではなく、基板１の側部６に固着しても良く、適宜変更して差支えない。
更にまた、上記第三の実施の形態において、ガイド部２２としての索体２８の一端部２８ａ及び他端部２８ｂを、基板１の載置部材３の上面２に固着したが、必ずしもこれに限定されるものではなく、基板１の側部６に固着しても良く、適宜変更して差支えない。
【図面の簡単な説明】
【００５３】
【図１】本発明の第一の実施の形態に係る双方向履物を示す斜視図である。
【図２】本発明の第一の実施の形態に係る双方向履物を示す正面図である。
【図３】本発明の第一の実施の形態に係る双方向履物を示す側面図である。
【図４】本発明の第一の実施の形態に係る双方向履物を示す平面図である。
【図５】本発明の第一の実施の形態に係る双方向履物を示す底面図である。
【図６】図１中Ａ−Ａ線断面図である。
【図７】図１中Ｂ−Ｂ線断面図である。
【図８】本発明の第一の実施の形態に係る双方向履物を使用状態で示す正面図である。
【図９】本発明の第二の実施の形態に係る双方向履物を示す斜視図である。
【図１０】本発明の第二の実施の形態に係る双方向履物を示す正面図である。
【図１１】図９中Ｃ−Ｃ線断面図である。
【図１２】本発明の第二の実施の形態に係る双方向履物を使用状態で示す正面図である。
【図１３】本発明の第三の実施の形態に係る双方向履物を示す斜視図である。
【図１４】本発明の第三の実施の形態に係る双方向履物を示す正面図である。
【図１５】図１３中Ｄ−Ｄ線断面図である。
【図１６】本発明の第三の実施の形態に係る双方向履物を使用状態で示す正面図である。
【図１７】従来の双方向履物の一例を示す図である。
【符号の説明】
【００５４】
Ｓ  双方向履物
Ｎ  中立位置
１  基板
２  上面
３  載置部材
４  接地部材
５  長手方向
６  側部
７  巾方向
８  切り込み部
１０  甲被体
１１  端部
１２  回動軸
１３  立ち上がり縁部
１４  傾動端
１５  一方端
１６  他方端
２０  ガイド手段
２１  被ガイド部
２２  ガイド部
２３  下端
２４  開口
２５  シート状部材
２６  挿通孔
２７  リング状部材
２８  索体
３０  ピン
３１  索体
３２  筒状部材
【図１】
2010142361.tif 000003
【図２】
2010142361.tif 000004
【図３】
2010142361.tif 000005
【図４】
2010142361.tif 000006
【図５】
2010142361.tif 000007
【図６】
2010142361.tif 000008
【図７】
2010142361.tif 000009
【図８】
2010142361.tif 000010
【図９】
2010142361.tif 000011
【図１０】
2010142361.tif 000012
【図１１】
2010142361.tif 000013
【図１２】
2010142361.tif 000014
【図１３】
2010142361.tif 000015
【図１４】
2010142361.tif 000016
【図１５】
2010142361.tif 000017
【図１６】
2010142361.tif 000018
【図１７】
2010142361.tif 000019